(57)【要約】【課題】写真等の展示物の位置決めが容易であるとともに、外観美麗でずり落ちもない展示を可能にする。【解決手段】シート状の展示物を挟持する透明の第１板材１２と第２板材１３を有し、第１板材１２および第２板材１３の双方から展示物を透視可能とする展示フレーム１１であって、前記第２板材１３の挟持側の１３ａに、前記展示物１４との摩擦抵抗を高める材質からなるすべり止め部１８が形成された展示フレーム１１。すべり止め部１８はドット状をなす複数個のすべり止め担体１８ａを、展示物１４に対応する大きさの枠状に配設して構成される。【選択図】図１
2011098065.tif 000002
【特許請求の範囲】
【請求項１】
シート状の展示物を挟持する第１板材と第２板材を有し、少なくとも第１板材または第２板材のいずれか一方側から展示物を透視可能とする展示フレームであって、
前記第１板材または第２板材の挟持側の面に、前記展示物との摩擦抵抗を高める材質からなるすべり止め部が形成された
展示フレーム。
【請求項２】
すべり止め部が複数個のすべり止め担体を配設して構成された
請求項１に記載の展示フレーム。
【請求項３】
すべり止め担体がドット状をなす
請求項２に記載の展示フレーム。
【請求項４】
前記すべり止め部がシルク印刷で形成された
請求項１から請求項３のうちのいずれか一項に記載の展示フレーム。
【請求項５】
前記すべり止め部が、展示物の形状に対応する枠状に形成された
請求項１から請求項４のうちのいずれか一項に記載の展示フレーム。
【請求項６】
前記すべり止め部の外側の縁が、挟持される展示物を置く位置の仮想輪郭線に接するように、前記仮想輪郭線の内側に形成された
請求項１から請求項５のうちのいずれか一項に記載の展示フレーム。
【請求項７】
前記すべり止め部が印刷層の上に形成された
請求項１から請求項６のうちのいずれか一項に記載の展示フレーム。
【請求項８】
前記第１板材と第２板材の外周部に、相互に吸着し合って第１板材と第２板材の重合状態の位置関係を規制する磁石が埋設された
請求項１から請求項７のうちのいずれか一項に記載の展示フレーム。
【請求項９】
前記第１板材と第２板材が透明の板材からなるとともに、これらの挟持側の面における外周部に印刷層が形成され、
前記第１板材または第２板材における前記印刷層の内周側の縁部に、前記すべり止め部が形成された
請求項１から請求項８のうちのいずれか一項に記載の展示フレーム。
【発明の詳細な説明】
【技術分野】
【０００１】
この発明は、たとえば写真立てなどとして使用されるような展示フレームに関する。
【背景技術】
【０００２】
展示フレームとしては、たとえば下記特許文献１のようなものがある。これは、額縁本体の中央部分に、表側から着脱可能な透明板を備えた額縁において、額縁本体と透明板の四隅における互いに対向する位置に、相互に吸着し合う永久磁石を埋設した構成である。すなわち、透明板を額縁本体に対して容易に着脱できるように工夫されている。
【０００３】
しかし、写真等のシート状の展示物は、透明板よりも小さいものであり、挟み込むのに当たっての位置決めが難しい。透明板を本体に吸着するときに展示物がずれてしまうこともある。さらに、展示物は額縁本体と透明板に磁力による挟持力で挟まれているだけであるので、展示物のずり落ちも発生する。
【０００４】
この点、下記特許文献２に開示された額縁が提案されている。これは、展示物の表側に位置する窓を有した台紙に、展示物の固定と位置合わせ兼用のマグネットを設けたものである。マグネットは、展示物の大きさに合わせて、展示物を囲い込むように配設され、このマグネットが展示物の裏側の押え板を吸着する。すなわち、台紙と押え板とこれらの間のマグネットによって展示物が入る空間が形成される構成である。
【先行技術文献】
【特許文献】
【０００５】
【特許文献１】登録実用新案第３０５１３９６号公報
【特許文献２】特開２００７−２２２４３２号公報
【発明の概要】
【発明が解決しようとする課題】
【０００６】
この構成によれば、展示物を正しく位置合わせすることができ、展示物のずり落ちも防止できそうである。しかし、展示物がマグネットで囲まれる構造であるために、展示物の大きさには厳格さが要求される。つまり、大きさが少しでも違えば展示物の展示ができない。
【０００７】
また、マグネットには厚さがあるため、マグネットの厚さが展示物の厚さよりも厚ければ、展示物が台紙と押え板との間で厚さ方向にガタつくことになり、また、展示物が曲がっていれば、そのまま展示されることになり、展示状態の美麗さに欠ける。さらに、台紙と押え板との間には比較的大きな隙間ができるため、展示物の保護の面でも好ましくない。
【０００８】
そこで、この発明は、位置決めが容易であるとともに、ずり落ちもない展示が可能である上に、比較的自由度の高い展示が外観美麗にできるようにすることを主たる課題とする。
【課題を解決するための手段】
【０００９】
そのための手段は、シート状の展示物を挟持する第１板材と第２板材を有し、少なくとも第１板材または第２板材のいずれか一方側から展示物を透視可能とする展示フレームであって、前記第１板材または第２板材の挟持側の面に、前記展示物との摩擦抵抗を高める材質からなるすべり止め部が形成された展示フレームである。すべり止め部は、たとえばすべり止めインキを用いた印刷等で形成される。
【００１０】
前記すべり止め部が、第１板材または第２板材の挟持側の面において展示物と接触し、摩擦抵抗で展示物を位置決めする。そして、第１板材と第２板材で展示物を挟持したときも、摩擦抵抗によって展示物の位置ずれやずり落ちを防止する。展示物が第１板材と第２板材で挟持され保持されるので、すべり止め部は、その一部でも展示物と接触していれば、上記位置決め、位置ずれ防止、ずり落ち防止の作用を果たす。
【発明の効果】
【００１１】
以上のように、この発明によれば、すべり止め部を利用して所望位置に位置決めした展示物を第１板材と第２板材で挟みつけて保持するので、展示物を所望の位置に保持した展示が容易である。しかも、第１板材と第２板材で挟持するときに展示物が位置ずれすることを回避できる。このため、展示物の保持や交換の作業が容易である。
【００１２】
そして、展示物を保持した後は、すべり止め部が摩擦抵抗によって展示物の位置ずれやずり落ちを防止するので、展示中に展示物が傾いたり下がったりしてしまうようなことがなく、展示状態の美麗さを維持できる。
【図面の簡単な説明】
【００１３】
【図１】展示フレームの分解状態の正面図。
【図２】展示フレームの正面図および背面図。
【図３】展示フレームの使用方法を示す分解斜視図。
【図４】展示フレームの使用状態を示す斜視図。
【図５】第２板材の平面図。
【図６】第１板材と第２板材の構造を示す断面図。
【図７】他の例に係る第１板材と第２板材の要部の断面構造を示す断面図。
【図８】他の例に係る第１板材と第２板材の要部の断面構造を示す断面図。
【図９】他の例に係る展示フレームの要部を模式的に示す断面図。
【発明を実施するための形態】
【００１４】
この発明を実施するための一形態を、以下図面を用いて説明する。  
図１は、展示フレーム１１の分解状態の正面図、図２は展示フレーム１１の正面図および背面図、図３は、展示フレーム１１の使用方法を示す分解斜視図である。
【００１５】
これらの図に示すように、展示フレーム１１は、アクリル板からなる透明な２枚の板材で構成される。２枚の板材は長方形をなす同形の第１板材１２と第２板材１３である。第１板材１２と第２板材１３の間に、たとえば写真、ポスター、チラシ、メニュー等のシート状の適宜の展示物１４が挟み込まれて、第１板材１２および第２板材１３を通して展示物１４の内容を透視可能に展示するものである。
【００１６】
第１板材１２と第２板材１３が所定の位置関係をなすように、すなわちそれらの外周縁の輪郭が一致するように重ね合わせるため、第１板材１２と第２板材１３の四隅における対向位置に、短円柱状の磁石１５が、前記展示物１４を挟む挟持側の面１２ａ，１３ａとは反対側の外側面がわから所定深さの位置に埋設されている。このため、これら第１板材１２と第２板材１３を互いに近づけると、磁石１５の磁力により、磁石１５同士が吸着し合い、第１板材１２と第２板材１３の重合状態が正しい位置関係で保持される。重合した第１板材１２と第２板材１３からなる展示フレーム１１は、たとえば図４に示したように、スタンド１６に立てるなどして所望に応じて適宜使用される。前記の如く第１板材１２と第２板材１３が共に透明であるので、いずれを表にしても展示できる。
【００１７】
前記のように磁石１５を備えた第１板材１２と第２板材１３における内側面、すなわち前記展示物１４を挟む挟持側の面１２ａ，１３ａには、図１、図３に示したように同一の印刷層１７が形成される。このため、図２に示したように、いずれを表にしても、同一の印刷層１７が視認できる状態となる。
【００１８】
印刷層１７は、主として装飾を目的とするもので、外周縁部に適宜幅の長方形の枠状に形成されている。具体的には、印刷層１７の内周縁の大きさは、展示しようとする展示物１４の外周縁が若干重なる大きさに設定される。
【００１９】
前記印刷層１７が第１板材１２と第２板材１３に形成されているので、前記のように、挟持された展示物１４は、第１板材１２側からも第２板材１３側からも透視可能である。すなわち、展示フレーム１１の両面を使用できる構造である。
【００２０】
そして、第１板材１２または第２板材１３の一方、この例に係る形態においては、第２板材１３の印刷層１７の上には、図５にも示したように、展示物１４との摩擦抵抗を高める材質からなるすべり止め部１８が形成されている。
【００２１】
このすべり止め部１８は、枠状等をなす１本の線などで構成することもできるが、この例に係る形態では複数個のすべり止め担体１８ａを配設して構成される。すべり止め担体１８ａは、線状であるもよいが、この例に係る形態ではドット状、すなわち片面凸レンズ状の断面を有する点状（図６参照）に形成されている。
【００２２】
ドット状をなすすべり止め担体１８ａは、長方形枠状をなす印刷層１７の内側縁に沿って枠状に配設されて、前記すべり止め部１８が形成される。
【００２３】
このすべり止め部１８は、展示物１４の形状に対応する枠状の形状であり、すべり止め部１８の外側の縁が、挟持される展示物１４を置く位置の仮想輪郭線１９に接するように、前記仮想輪郭線１９の内側に形成される。すなわち、前記のように展示物１４の外周縁が若干重なる大きさに形成された印刷層１７の内周縁に、図５に仮想線で示したような前記仮想輪郭線１９を想定し、その仮想輪郭線１９に接するように、複数のすべり止め担体１８ａが配設される。
【００２４】
このようなすべり止め部は、たとえば周知のすべり止めインキを用いてシルク印刷で形成される。すべり止めインキは、弱粘着性や柔軟性を兼ね備えるものであるもよい。
【００２５】
このように構成された展示フレーム１１では、図６に示したように、第２板材１３の挟持側の面１３ａに、裏面または表面が接するように展示物１４を置き、この上から第１板材１２を重ねて、磁石１５の磁力により吸着させる。展示物１４を第２板材１３の上に置くときは、展示物１４の端を、列をなして枠状となっているすべり止め部１８の外側の縁、すなわち前記仮想輪郭線１９に合わせるようにする。すると、展示物１４は、前記仮想輪郭線１９に合致した正しい位置に位置することになる。しかも、すべり止め部１８との間の摩擦抵抗の高さによって、位置決めされる。この状態で第１板材１２が重合して、展示物１４は挟持されることになる。このため、第１板材１２が重合するときに展示物１４が不測に位置ずれするようなこともなく、位置決め状態が保持される。主に接触抵抗で位置決めする場合と比べて、磁力による挟持でも強力な保持が可能である。
【００２６】
したがって、展示物１４を挟んだり、取り換えたりする作業がきわめて容易である。そのうえ、すべり止め部１８が位置決めのための目印の機能も果たすので、簡単に正しい位置に保持できる。このため、外観美麗な展示状態が極簡単に得られる。すべり止め部１８は、一方の板材、つまり第２板材１３にのみ設けられており、重合する他方の板材、つまり第１板材１２には設けられていないので、展示物１４の挟み込み作業に際して、一度位置決めした展示物１４を不測にずらしてしまうような不都合は一切ない。
【００２７】
また、すべり止め部１８を有し、展示物１４がこのすべり止め部１８に接するように挟み込まれるので、展示物１４を保持した後は、すべり止め部１８が摩擦抵抗によって展示物１４の位置ずれやずり落ちを防止するので、展示中に展示物１４が傾いたり下がったりしてしまうようなことがなく、展示状態の美麗さを維持できる。位置決め、位置ずれ防止、ずり落ち防止の作用は、展示物１４が一部でもすべり止め部１８と接していれば得られるので、前記のように展示物１４の大きさに合わせて所定の大きさに構成した場合でも、複数枚の展示物１４を同時に展示することが可能である。
【００２８】
さらに、たとえば、粘着テープ等を用いて展示物１４の裏面を止めてから挟み込む作業をする場合には、裏面側から展示物１４を見るように展示することはできなかったが、前記のようなすべり止め部１８と挟持構造を利用するので、前記の如く両面を使用できる展示フレーム１１とすることができる。
【００２９】
加えて、すべり止め部１８が複数個のすべり止め担体１８ａを配設して構成されるため、過度の摩擦抵抗が生ずるのを回避して、位置合わせが容易となる。特に、すべり止め担体１８ａがドット状であるので、より扱いやすいものとなる。
【００３０】
また、すべり止め部１８がシルク印刷で形成されるため、製造が容易で比較的安価に行える。そして、厚さも薄く形成できるので、第１板材１２と第２板材１３の間にできる隙間を極力小さくすることができ、展示物１４の損傷を極力抑えることができる。
【００３１】
さらに、すべり止め部１８は印刷層１７の上に形成されているので、すべり止め部１８の存在を完全に隠蔽することができ、外観上何ら遜色のない、美麗さを確保できる。すべり止め部１８の定着状態も安定する。
【００３２】
なお、展示フレーム１１の片面のみが使用できる構造とする場合には、たとえば図７に示したように、裏側となる第２板材１３には何も加工せずに、表側となる第１板材１２に、前記印刷層１７とすべり止め部１８が形成される。第２板材１３は不透明の適宜の板材で構成できる。このような構成の展示フレーム１１では、第１板材１２の挟持側の面１２ａに対して展示物１４の表側が接触するようにして展示物１４を前記の如く置いて、位置決めをしてから第２板材１３で展示物１４を挟み込む。
【００３３】
このほか、図８に示したように、裏側となる第２板材１３に前記すべり止め部１８を形成し、表側となる第１板材１２に前記印刷層１７を形成することもできる。この場合も第２板材１３は不透明の適宜の板材で構成できる。このような構成の展示フレーム１１では、第２板材１３の挟持側の面１３ａに対して展示物１４の裏側が接触するようにして展示物１４を前記の如く置いて、位置決めをしてから第１板材１２で展示物１４を挟み込む。
【００３４】
図７、図８いずれの展示フレーム１１でも、両面使用できること以外は、前記と同様の効果を得られる。
【００３５】
また、展示フレームとして、２枚の板材から構成されるものを示したが、例えば図９に示したように枠材２０を有する展示フレーム１１を構成することもできる。
【００３６】
図９（ａ）は、枠材２０によって構成される裏側空間２０ａに、表側から、表板としての第１板材１２と裏板としての第２板材を順に有し、これらの間に展示物１４を保持する展示フレーム１１の例である。図面では各部材の間に隙間をあけて模式的に描いてある。前記第２板材１３の挟持側の面１３ａにはすべり止め部１８が形成されている。すべり止め部１８の形成位置は、前記と同様に仮想輪郭線１９を基準して設定するとよいが、そうでなくともよい。第１板材１２の挟持側の面１２ａには、単なる透明の板材で構成される。
【００３７】
このような構成の展示フレーム１１では、第２板材１３の挟持側の面１３ａに展示物１４の裏面を接触させて載置し、この上から第１板材１４を重合してから、枠材２０の裏側空間２０ａに収納して使用される。なお、すべり止め部１８は、表板としての第１板材１２に形成されるもよい。
【００３８】
図９（ｂ）は、図９（ａ）の展示フレーム１１の構成に加えて、表板２１の裏面側に、展示物１４を引き立てるマットを有する展示フレーム１１である。すなわち、この場合は、マットとしての第１板材１２を有する構成である。その他の構成は、図９（ａ）の展示フレーム１１と同様である。
【００３９】
このような構成の展示フレーム１１では、第２板材１３の挟持側の面１３ａに展示物１４の裏面を接触させて載置し、この上からマットとしての第１板材１４を重合してから、表板２１を重ねて、これらを枠材２０の裏側空間２０ａに収納して使用される。なお、すべり止め部１８は、マットとしての第１板材１２に形成されるもよい。
【００４０】
これらのような構成の展示フレーム１１でも、両面使用できること以外は、前記と同様の効果を得られる。また、枠材２０を有するため、印刷層１７の形成は不要である。
【００４１】
以上はこの発明を実施するための一形態であって、この発明は前記の構成に限定されるものではない。たとえば、第１板材と第２板材の双方にすべり止め部を形成することもできる。また、表側に位置する板材が展示物を露出させる窓を有する構造のものであるもよい。さらに、すべり止め部は、たとえばシート状の形態に別部材のものとして得て、これを接着等の手段で固定して備えることもできる。
【符号の説明】
【００４２】
１１…展示フレーム
１２…第１板材
１３…第２板材
１２ａ，１３ａ…挟持側の面
１４…展示物
１５…磁石
１７…印刷層
１８…すべり止め部
１８ａ…すべり止め担体
１９…仮想輪郭線
【図１】
2011098065.tif 000003
【図２】
2011098065.tif 000004
【図３】
2011098065.tif 000005
【図４】
2011098065.tif 000006
【図５】
2011098065.tif 000007
【図６】
2011098065.tif 000008
【図７】
2011098065.tif 000009
【図８】
2011098065.tif 000010
【図９】
2011098065.tif 000011